(57)【要約】【課題】  照明態様によって表示性能を補償することにより、電気光学パネル自体の性能を超えるダイナミックレンジを実現することの可能な電気光学装置及びこれを備えた電子機器を提供する。【解決手段】  本発明の電気光学装置１００は、配列された複数の画素１３０ｐを備えた電気光学パネル１３０と、電気光学パネルを照明する複数の分割された照明領域１１０ａを備え、照明領域毎に輝度の設定が可能とされた照明装置１１と、電気光学パネルの複数の画素のそれぞれに対して、入力データに基づいた表示の制御を行う電気光学パネル制御手段と、照明領域に対応した電気光学パネルの画素群への入力データに応じて、照明領域毎に輝度若しくはこれに対応する値を設定する照明設定手段と、照明設定手段により設定された値に応じて照明装置の各照明領域を制御する照明制御手段と、を具備することを特徴とする。【選択図】図１
2007025187.tif 000002
【特許請求の範囲】
【請求項１】
配列された複数の画素を備えた電気光学パネルと、
前記電気光学パネルを照明する複数の分割された照明領域を備え、前記照明領域毎に輝度の設定が可能とされた照明装置と、
前記電気光学パネルの前記複数の画素のそれぞれに対して、入力データに基づいた表示の制御を行う電気光学パネル制御手段と、
前記照明領域に対応した前記電気光学パネルの画素群への前記入力データに応じて、前記照明領域毎に輝度若しくはこれに対応する値を設定する照明設定手段と、
前記照明設定手段により設定された値に応じて、前記照明装置の各照明領域を制御する照明制御手段と、
を具備することを特徴とする電気光学装置。
【請求項２】
前記照明設定手段は、前記照明領域に対応する前記入力データの明度成分に対して正の相関を有する値を設定することを特徴とする請求項１に記載の電気光学装置。
【請求項３】
前記照明領域に対応した前記電気光学パネルの画素群は、前記照明領域に平面的に含まれた前記電気光学パネルの複数の画素であることを特徴とする請求項１又は２に記載の電気光学装置。
【請求項４】
前記照明設定手段は、前記照明領域に平面的に含まれる前記複数の画素に対応する複数の前記入力データの代表値に対して相関を有する値を設定することを特徴とする請求項１乃至３のいずれか一項に記載の電気光学装置。
【請求項５】
前記複数の照明領域がマトリクス状に配列されていることを特徴とする請求項１乃至４のいずれか一項に記載の電気光学装置。
【請求項６】
前記照明装置の照明光を拡散させて前記電気光学パネルへ与える光拡散手段がさらに設けられていることを特徴とする請求項１乃至５のいずれか一項に記載の電気光学装置。
【請求項７】
前記電気光学パネル制御手段は、前記照明設定手段により設定された値に応じて制御信号を生成することを特徴とする請求項１乃至６のいずれか一項に記載の電気光学装置。
【請求項８】
前記照明装置は、前記電気光学装置の背後に配置される面状光源であることを特徴とする請求項１乃至８のいずれか一項に記載の電気光学装置。
【請求項９】
前記照明装置は有機ＥＬバックライトであることを特徴とする請求項９に記載の電気光学装置。
【請求項１０】
請求項１乃至１１のいずれか一項に記載の電気光学装置と、前記表示データを生成する制御手段とを有することを特徴とする電子機器。
【発明の詳細な説明】
【技術分野】
【０００１】
本発明は電気光学装置及び電子機器に係り、特に、照明装置を備えた電気光学装置の構成に関する。
【背景技術】
【０００２】
一般に、電気光学装置には、液晶表示装置などの直視型表示装置や液晶プロジェクタ等の投射型表示装置などといった、照明装置による照明光を利用して表示を行うものが知られている。照明装置は、多くの場合、液晶パネル等の電気光学パネルの背後に配置されたバックライトとして構成されるが、パネルの前方に配置されるフロントライトなどの他の構造配置を有するものも知られている。
【０００３】
従来の電気光学装置としては、例えば、入力データの輝度分布情報（例えば、最高輝度レベル、平均輝度レベル、最低輝度レベル）に基づいてフレーム毎のゲイン及びオフセットを設定することにより、入力データのレベルに関係なく最適な状態で表示を行うことができるようにした液晶表示装置が知られている（例えば、以下の特許文献１参照）。
【０００４】
また、入力データの輝度分布情報に基づいてゲイン及びオフセットを設定してダイナミックレンジを拡大するとともに、ダイナミックレンジ拡大前後の輝度レベルをバックライト調光制御によって補償するようにした液晶表示装置が知られている（例えば、以下の特許文献２参照）。
【特許文献１】特開２０００−１７２２１８号公報
【特許文献２】特開２００２−１０８３０５号公報
【発明の開示】
【発明が解決しようとする課題】
【０００５】
しかしながら、前述の液晶表示装置では、入力データのレベルに制約を受けずに液晶表示のダイナミックレンジを拡大することができるが、パネルの表示性能自体を改善するものではないので、基本的に液晶表示装置の表示性能を超えてダイナミックレンジを拡大することはできない。
【０００６】
そこで、本発明は上記問題点を解決するものであり、その課題は、照明態様によって表示性能を補償することにより、電気光学パネル自体の性能を超えるダイナミックレンジを実現することの可能な電気光学装置及びこれを備えた電子機器を提供することにある。
【課題を解決するための手段】
【０００７】
斯かる実情に鑑み、本発明の電気光学装置は、配列された複数の画素を備えた電気光学パネルと、前記電気光学パネルを照明する複数の分割された照明領域を備え、前記照明領域毎に輝度の設定が可能とされた照明装置と、前記電気光学パネルの前記複数の画素のそれぞれに対して、入力データに基づいた表示の制御を行う電気光学パネル制御手段と、前記複数の照明領域に対応した前記電気光学パネルの画素群への前記入力データに応じて、前記照明領域毎に輝度若しくはこれに対応する値を設定する照明設定手段と、前記照明設定手段により設定された値に応じて、前記照明装置の各照明領域を制御する照明制御手段と、を具備することを特徴とする。
【０００８】
この発明によれば、照明設定手段により入力データに応じて照明領域別に設定された値に応じて照明制御手段が照明装置を制御することにより、電気光学パネルの駆動領域内において、入力データに応じた態様で照明領域別に輝度を設定することが可能になるため、電気光学パネルの性能に制約を受けずにダイナミックレンジを設定することができ、ダイナミックレンジの拡大による高階調化や高コントラスト化を図ることが可能になる。
【０００９】
本発明において、前記照明設定手段は、前記照明領域に対応する前記入力データの明度成分に対して正の相関を有する値を設定することが好ましい。これによれば、照明領域に含まれる画素群の明度に対応する値に基づいて照明装置の調光制御を行うことができるので、画像の明度に応じた適切な照明コントロールを施すことができる。例えば、照明領域に対応する入力データの明度成分が高い場合には輝度を高くし、入力データの明度成分が低い場合には輝度を低くすることにより、電気光学パネルの駆動領域のダイナミックレンジを電気光学パネルの性能を超えて拡大することができる。
【００１０】
本発明において、前記照明領域に対応した前記電気光学パネルの画素群は、前記照明領域に平面的に含まれた前記電気光学パネルの複数の画素であることが好ましい。これによれば、照明領域の数を駆動領域内の画素数よりも大幅に少なくすることができるため、照明装置の構造を簡易に構成することができるとともに、照明装置の制御を容易に行うことが可能になる。
【００１１】
本発明において、前記照明設定手段は、前記照明領域に平面的に含まれる前記複数の画素に対応する複数の前記入力データの代表値に対して相関を有する値を設定することが好ましい。これによれば、照明領域毎に、そこに含まれる複数の画素に対応する複数の入力データの代表値を求め、この代表値に対して相関を有する値を設定することにより、どのような入力データ構成であっても簡易に輝度を設定できる。ここで、代表値としては、例えば、平均値、積分値、中央値などが挙げられる。
【００１２】
本発明において、前記複数の照明領域がマトリクス状に配列されていることが好ましい。照明領域がマトリクス状に配列されている（縦方向にも横方向にも配列されている）ことにより、入力データに応じて駆動領域のダイナミックレンジを柔軟に設定することができる。
【００１３】
本発明において、前記照明装置の照明光を拡散させて前記電気光学パネルへ与える光拡散手段がさらに設けられていることが好ましい。これによれば、光拡散手段により、複数の照明領域間の境界部分の輝度の不連続性を緩和することができるため、駆動領域からの光出力分布をより自然に設定することができる。
【００１４】
本発明において、前記電気光学パネル制御手段は、前記照明設定手段により設定された値に応じて制御信号を生成することが好ましい。パネル制御手段が入力データだけでなく、照明設定手段により設定された値にも基づいて制御信号を生成することにより、照明領域間の光出力分布の連続性を高めたり、入力データに対する再現性を向上させたりすることができる。例えば、入力データに対するゲインやオフセットを照明領域と対応する画素群毎に設定することができる。
【００１５】
本発明において、前記照明装置は、前記電気光学装置の背後に配置される面状光源であることが好ましい。ここで、コンパクトに構成できる点ではフラットパネル型の照明装置であることが望ましく、特に、上記のような複数の照明領域を容易に構成できる点で、自発光型の照明装置、例えば、有機ＥＬバックライトであることが望ましい。
【００１６】
次に、本発明の電子機器は、上記のいずれかに記載の電気光学装置と、前記表示データを生成する制御手段とを有することを特徴とする。本発明の電気光学装置を搭載した電子機器としては、携帯電話機、コンピュータ装置、電子時計、プロジェクタなどが挙げられる。
【発明を実施するための最良の形態】
【００１７】
次に、添付図面を参照して本発明の実施形態について詳細に説明する。図１は、本実施形態の電気光学装置１００の概略構成を示す分解斜視図である。電気光学装置１００は、光出射面１１０Ａを備えた照明装置１１０と、この照明装置１１０の光出射面１１０Ａと対向配置される光拡散板１２０と、光拡散板１２０に対向配置された駆動領域１３０Ａを有する電気光学パネル１３０とを備え、これらの照明装置１１０、光拡散板１２０及び電気光学パネル１３０が平面的に重なるように配置されたものである。
【００１８】
照明装置１１０は、上記光出射面１１０Ａを表面に備えた板状（フラットパネル状）に構成されている。照明装置１１０は、電気光学パネル１３０を背後から照明するバックライトを構成するものである。光出射面１１０Ａは複数の照明領域１１０ａに分割されている。これらの照明領域１１０ａは縦横にマトリクス状に配列されている。複数の照明領域１１０ａは、それぞれが独立して輝度を設定可能に構成されたものである。すなわち、照明装置１１０は、照明領域１１０ａ毎に調光制御可能な構造を有している。
【００１９】
照明装置１１０の具体的な構造としては、照明領域１１０ａ毎に独立した発光領域を備えた有機エレクトロルミネッセンスパネルや、照明領域１１０ａ毎に独立した光源及び導光部を備えた導光装置などを用いることができる。
【００２０】
光拡散板１２０は、照明装置１１０から出射された照明光を拡散するものであり、例えば、樹脂基材中にこれとは異なる光屈折率を備えた粒体、若しくは、光散乱特性を有する微細な粒体を分散配置したもの、或いは、樹脂基材の表面に微細な凹凸構造を形成したものなどが挙げられる。この光拡散板１２０を用いることで、照明装置１１０から出射された照明光を拡散して面内の輝度分布を緩和することができる。なお、照明光の表示に寄与する割合（光の利用効率）を高めて表示の明るさを増大させるために、光拡散板１２０と電気光学パネル１３０との間に集光板（プリズムシートなど）を配置することが更に望ましい。
【００２１】
図５は、電気光学パネル１３０の一例を模式的に示す概略縦断面図である。電気光学パネル１３０は、本実施形態では透過型（或いは半透過型の）液晶表示パネルであり、透明な基板１３１と１３２の間に液晶１３４を配置してなるものである。
【００２２】
基板１３１と１３２はシール材１３３によって貼着され、基板１３１、１３２及びシール材１３３によって囲まれた内部領域に液晶１３４が封入されている。基板１３１の内面上にはＩＴＯ（インジウムスズ酸化物）等の透明導電体で形成された電極１３５が形成され、基板１３２の内面上には同様の透明導電体で形成された電極１３６が設けられている。そして、電極１３５と電極１３６が交差する平面範囲が画素１３０ｐとなっている。基板１３１と１３２の外面上にはそれぞれ偏光板１３７、１３８が配置される。
【００２３】
なお、カラーフィルタ等を用いたカラー表示を行う場合には、上記画素１３０ｐ毎に色フィルタの一つ一つが形成されてサブ画素とされ、複数の異なる色フィルタ（例えば、Ｒ（赤）、Ｇ（緑）及びＢ（青））をそれぞれ有する複数のサブ画素によって一つのカラーを表示できる画素が構成される。したがって、本実施形態では、以下の説明において画素１３０ｐはサブ画素を含むか否かを問わず表示画像や投射画像の最小の表示単位（光出射単位）を構成できるパネルの平面範囲をいうものとする。
【００２４】
上記の駆動領域１３０Ａは、上記の画素１３０ｐが縦横にマトリクス状に配列された領域である。上記のような画素１３０ｐが多数配列されることにより、駆動領域１３０Ａは、画像を構成するための所定の光出力分布を形成できるように構成されている。
【００２５】
電気光学パネル１３０では、基板１３１が基板１３２よりも外側に張り出してなる基板張出部１３１Ｔが設けられ、この基板張出部１３１Ｔの表面には、上記電極１３５，１３６に導電接続された配線１３１ａ、及び、パネル外から供給される制御信号を受ける入力端子１３１ｂが形成され、また、これらの配線１３１ａ及び入力端子１３１ｂに導電接続される態様で駆動回路（半導体チップ）１３９が実装されている。
【００２６】
図２は、照明装置１１の光出射面１１０Ａの平面形状（ｂ）と、電気光学パネル１３０の駆動領域１３０Ａの平面形状（ａ）との対応関係を示す平面図である。ここで、光出射面１１０Ａと駆動領域１３０Ａとは完全に平面的に一致して重なるように構成されていなくてもよいが、光出射面１１０Ａが少なくとも駆動領域１３０Ａの全ての部分と平面的に重なるように、すなわち、光出射面１１０Ａが駆動領域１３０Ａの全てを平面的に覆うように構成されていることが好ましい。ここで、光出射面１１０Ａに対応して設定された複数の照明領域１１０ａに含まれる（照明領域１１０ａと平面的に重なる）駆動領域１３０Ａ内の平面範囲を照明範囲１３０ａ（二点鎖線で示す。）と言うこととする。
【００２７】
本実施形態では、照明範囲１３０ａ内にはそれぞれ複数の画素１３０ｐが含まれている。一般的には照明範囲１３０ａは一つの画素１３０ｐのみを含んでいてもよく、或いは、複数の照明範囲１３０ａが一つの画素１３０ｐを構成するようになっていてもよいが、本実施形態のように、照明範囲１３０ａ内に複数の画素１３０ｐが設けられることにより、照明範囲１３０ａの数を低減することができるので、照明装置１１０の構造を簡易に構成することができるとともに、照明装置１１０の調光制御も容易になる。
【００２８】
図３は、本実施形態の各照明範囲１３０ａ内の画素１３０ｐの入出力特性を示すものである。本実施形態の場合は液晶表示パネルであるので、上記入出力特性は電圧・光透過率特性となり、縦軸には光透過率をとり、横軸には印加電圧をとってある。図示実線は、その照明範囲１３０ａに対応する照明領域１１０ａの輝度が標準輝度であるときの入出力特性を示し、図示点線は一例として照明領域１１０ａの輝度を標準輝度の８０％としたときの実質的な入出力特性を示し、図示破線は一例として発行区画１１０ａの輝度を標準輝度の１２０％としたときの実質的な入出力特性を示す。
【００２９】
図３に示すように、照明領域１１０ａの輝度が標準輝度である場合には、この照明領域１１０ａに対応する照明範囲１３０ａ内のダイナミックレンジはＤ（１００）であるが、電気光学パネル１３０の特性が同じであっても、照明領域１１０ａの輝度が標準輝度の８０％及び１２０％であるときにはダイナミックレンジは実質的にＤ（８０）及びＤ（１２０）となり、それぞれ、標準輝度の場合に比べてダイナミックレンジが低減及び拡大される。
【００３０】
図４は、本実施形態の表示制御系の一部を模式的に示す概略構成ブロック図である。表示メモリ１４１は、電気光学パネル１３０で表示されるべき画像に対応する入力データ（表示データ）Ｋ[ｉ]（フレーム数ｉ＝１〜ｎ、ｎは任意の自然数）を出力可能に構成されている。この表示メモリ１４１から読み出された入力データＫ[ｉ]は、照明設定回路１４２及び同期制御回路１４３に入力される。照明設定回路１４２では、電気光学パネル１３０の照明範囲１３０ａ毎の上記入力データＫ[ｉ]に基づいて、照明範囲１３０ａ内の駆動態様を示す指標値を求め、この指標値に応じて、照明装置１１０の照明領域１１０ａ毎の輝度レベルを表す設定値Ｌ[ｉ，ｊ]（照明領域数Ｊ＝１〜ｍ、ｍは任意の自然数）を設定する。このとき、設定値Ｌ[ｉ，ｊ]を入力データＫ[ｉ]毎（１フレーム毎）に設定してもよいが、複数フレーム単位で設定値を設定しても構わない。例えば、Ｌ[ｉ−ｓ，ｊ]＝Ｌ[ｉ−ｓ＋１，ｊ]＝・・・Ｌ[ｉ，ｊ]＝・・・＝Ｌ[ｉ＋ｓ−１，ｊ]＝Ｌ[ｉ＋ｓ，ｊ]（ｓは任意の自然数）として、２ｓ＋１フレーム単位で設定値を形成してもよい。
【００３１】
同期制御回路１４３では、上記入力データＫ[ｉ]をパネル制御回路１４４に送るとともに、設定値Ｌ[ｉ，１]、Ｌ［ｉ，２］、・・・、Ｌ[ｉ，ｊ]、Ｌ[ｉ，ｊ＋１]、・・・、Ｌ[ｉ，ｍ]をパネル制御回路１４４へ送られる上記入力データＫ［ｉ］と同期して照明制御回路１４５に送出する。ここで、パネル制御回路１４４には、上記入力データＫ［ｉ］とともに設定値Ｌ[ｉ，ｊ]を送るようにしてもよい。
【００３２】
パネル制御回路１４４は、同期制御回路１４３により設定されたタイミングで電気光学パネル１３０に制御信号を送出する。この制御信号に基づいて、図１及び図２に示す駆動回路１３９は電気光学パネル１３０の電極１３５，１３６にそれぞれ駆動電位を供給する。また、照明制御回路１４５は、同期制御回路１４３により設定されたタイミングで照明装置１１０に制御信号を送出する。これによって、電気光学パネル１３０の駆動領域１３０Ａが或る入力データＫ[ｉ]に対応する或る１つのフレーム期間にあるときには、当該フレーム期間に対応する設定値Ｌ[ｉ，ｊ]で照明装置１１０が駆動されることになる。照明装置１１０に送出される制御信号は、照明装置１１０内の駆動回路にパルス幅制御や電流制御等の制御形式に応じた、発光素子構造に適合した駆動信号を生成させ、これによって照明装置１１０の各照明領域１１０ａの輝度を独立して制御する。
【００３３】
図６は、入力データＫ［ｉ］として映像データを入力し、これを電気光学パネル１３０で表示する場合の例えば１フレーム毎の処理手順をより詳細に示す概略フローチャートである。映像データは、まず、ステップＳ１において、照明範囲１３０ａ毎に処理され、指標値が算出される。この指標値は、例えば、映像データのうちの明度成分、例えば輝度信号を処理してなるものであることが好ましい。指標値としては、照明範囲１３０ａ内の複数の画素１３０ｐに対応するデータの代表値が用いられることが望ましい。例えば、データ（輝度値）の平均値若しくは積分値、或いは、中央値などが挙げられる。
【００３４】
次に、ステップＳ２において、上記指標値に基づいて、照明範囲１３０ａ毎の照度、或いは、その照明範囲１３０ａに対応する照明領域１１０ａ毎の輝度の設定値が設定される。この設定値は、具体的には、上記指標値に対して正の相関を有する値とされる。例えば、指標値と比例する値が設定される。
【００３５】
次に、ステップＳ３において、電気光学装置１３０を制御するとともに、照明装置１１０を制御する。ここで、パネル制御回路１４４は、上記映像データのみに基づいて制御信号を生成するようにしてもよい。この場合、隣接する照明範囲１３０ａ間において照度に不連続性を生ずる虞があるが、上記の光拡散板１２０を設けることで、照度の不連続性は緩和される。
【００３６】
なお、上記の設定値に応じて電気光学パネルに対する制御態様を変えることにより、照度若しくは輝度の不連続性を更に緩和することができる。例えば、上記設定値が隣接する照明範囲よりも低い（すなわち暗い駆動状態とされるべき）照明範囲１３０ａに属する画素１３０ｐに対しては、境界に近い画素１３０ａほどゲインやオフセットを大きくし、逆に、隣接する照明範囲より高い（すなわち明るい駆動状態とされるべき）照明範囲１３０ａに属する画素１３０ｐに対しては、区画間の境界に近い画素１３０ａほどゲインやオフセットを小さくすることで、境界における明度の不連続性を低減することができる。
【００３７】
また、照明制御回路１４５は、上記設定値と正の相関を有する（例えば、正比例する）輝度が得られるように、複数の照明領域１１０ａをそれぞれ制御する。すなわち、上記設定値が大きい（明るい駆動状態とされるべき）照明範囲１３０ａに対応する照明領域１１０ａでは輝度レベルを高くし、上記設定値が小さい（暗い駆動状態とされるべき）照明範囲１３０ａに対応する照明領域１１０ａでは輝度レベルを低くすることで、例えば、図３に示す例では、設定値が大きい照明区間１３０ａではダイナミックレンジＤ（１２０）が得られ、設定値が小さい照明区間１３０ａではダイナミックレンジＤ（８０）が得られることにより、駆動領域１３０Ａ全体では、電気光学パネル１３０の本来のダイナミックレンジＤ（１００）を超えるダイナミックレンジＤｔｏｔａｌが実現されることとなる。すなわち、全体として考えたときには、電気光学パネル１３０の性能を超えた、従来よりも高いコントラストを得ることができる。
【００３８】
例えば、図２（ａ）に示すように、入力データのうち、或るフレームを構成するデータが、駆動領域１３０Ａ内に明度の低い領域Ａと明度の高い領域Ｂとが存在する表示態様を実現するものであるとすれば、各照明範囲１３０ａの代表値（指標値）は、区画内における上記領域Ａ及びＢの面積割合に応じて算出され、その結果、図２（ｂ）に示すように、上記代表値に対して正の相関を有するように照明領域１１０ａの輝度（図示例では標準輝度を１００％としたときの数値を示してある。）が設定される。ただし、図２は、説明の都合上、表示態様を２階調の明度パターンを有するきわめて単純化された例を示すものにすぎない。実際には、多階調の表示画像データを処理して各照明範囲１３０ａが最適な態様で表現されるように各照明領域１１０ａの輝度が設定される。
【００３９】
本実施形態において、照明制御回路１４５による各照明領域１１０ａの制御態様は如何なるものであっても構わないが、例えば、照明制御回路１４５による制御下において各照明領域１１０ａの輝度レベルの階調数がＵであるように階調制御を行うこととすると、パネル制御回路１４４による制御下において各照明範囲１３０ａの透過率レベルの階調数がＶであれば、駆動領域１３０Ａ全体としては、Ｕ×Ｖの階調数で表示を実現できることになる。以上のように、本実施形態では、ダイナミックレンジの拡大によって高階調数化及び高コントラスト化を図ることができる。
【００４０】
図７は、上記とは別の照明装置１５０の光出射面１５０Ａの構成を示す平面図である。この光出射面１５０Ａでは、同一形状を備えた六角形（正六角形）状の照明領域１５０ａが光出射面１５０Ａ内に充填されるように配列されている。この場合、上記実施形態と同様に、全ての照明領域１５０ａの平面形状は相互に同一である。なお、図示例では、光出射面１５０Ａを矩形状とし、光出射面１５０Ａの最外縁に配置された照明領域１５０ａの形状を光出射面１５０Ａの外縁形状に合わせてカットしてあるが、最外縁の照明領域１５０ａの形状を変更することなく、光出射面１５０Ａの外縁形状を最外縁の照明領域１５０ａの形状に合わせた凹凸形状としてもよい。
【００４１】
図８は、上記とはさらに別の照明装置１６０の光出射面１６０Ａの構成を示す平面図である。この光出射面１６０Ａには、異なる平面形状を有する複数種（図示例では二種、すなわち八角形と四角形）の照明領域１６０ａ，１６０ｂが充填されている。このように、相互に異なる形状を有する複数種の照明領域を設けても構わない。
【００４２】
なお、上記の各例では、いずれも、光出射面が複数の照明領域で充填されている構成（光出射面内に照明領域が隙間なく配列されている場合）について述べたが、複数の照明領域が光出射面内において密に配置されている必要はなく、例えば、照明領域間にすき間が存在しても構わない。ただし、この場合には、照明光の出射角分布及び光出射面と電気光学パネルとの距離に照らして照度輝度分布に不具合が生じない程度のすき間とするか、或いは、光拡散板等の光拡散手段の作用によって照度分布に不具合が発生しないようにすることが好ましい。
【００４３】
最後に、上述した各実施形態に係る電気光学装置を電子機器に搭載した場合について説明する。図９は、本発明に係る電子機器の一実施形態であるノート型パーソナルコンピュータを示している。このパーソナルコンピュータ２００は、複数の操作ボタン２０１ａや他の操作装置２０１ｂを備えた本体部２０１と、この本体部２０１に接続され、表示画面２０２ａを備えた表示部２０２とを備えている。図示例の場合、本体部２０１と表示部２０２は開閉可能に構成されている。表示部２０２の内部には上述の電気光学装置（液晶装置）１００が内蔵されており、表示画面２０２ａに所望の表示画像が表示されるようになっている。この場合、パーソナルコンピュータ２００の内部には、上記電気光学装置１００を制御する表示制御回路が設けられる。この表示制御回路は、電気光学装置１００に設けられる上記の制御系に対して映像信号その他の入力データや所定の制御信号を送り、その動作態様を決定するように構成されている。
【００４４】
図１０は、本発明に係る電子機器の他の実施形態である携帯電話機を示している。ここに示す携帯電話機３００は、複数の操作ボタン３０１ａ，３０１ｂ及び送話口などを備えた操作部３０１と、表示画面３０２ａや受話口などを備えた表示部３０２とを有し、表示部３０２の内部に上記の電気光学装置１００が組み込まれてなる。そして表示部３０２の表示画面３０２ａにおいて電気光学装置１００により形成された表示画像を視認することができるようになっている。この場合、携帯電話機３００の内部には、上記電気光学装置１００を制御する表示制御回路が設けられる。この表示制御回路は、電気光学装置１００に設けられる上記の制御系に対して映像信号その他の入力データや所定の制御信号を送り、その動作態様を決定するように構成されている。
【００４５】
なお、本発明に係る電子機器としては、図９や図１０に示す電子機器の他に、液晶テレビ、カーナビゲーション装置、ページャ、電子手帳、電卓、ワークステーション、テレビ電話、ＰＯＳ端末機などが挙げられる。そして、これらの各種電子機器の表示部として本発明に係る電気光学装置を用いることができる。
【００４６】
また、本発明は、上述の図示例にのみ限定されるものではなく、本発明の要旨を逸脱しない範囲内において種々変更を加え得ることは勿論である。例えば、全面表示と部分表示とを切り換え可能なディスプレイへの適用も可能であり、この場合には、非表示部分の照明をオフすることで、低消費電力化が可能になる。本実施形態の電気光学装置としては、透過型の液晶表示パネルを備えた液晶表示装置で構成されるものについて説明したが、本発明は、照明装置を含むものであれば、半透過型や反射型の表示パネルであってもよく、また、表示パネルではなく、電気光学パネルを光シャッタとして用いる投射型表示装置であっても構わない。さらに、液晶装置に限らず、電気泳動表示装置などの他の電気光学装置であっても構わない。
【図面の簡単な説明】
【００４７】
【図１】実施形態の全体構成を示す分解斜視図。
【図２】実施形態の電気光学パネルの駆動領域の平面図（ａ）及びこれに対応する照明装置の光出射面の平面図（ｂ）。
【図３】実施形態の電圧−透過率特性（実線）と、照明装置の発光輝度を変更した場合の実質的な電圧−透過率特性（点線及び破線）を比較して示す図。
【図４】実施形態の概略構成を模式的に示す概略ブロック図。
【図５】実施形態の電気光学パネルの構造を模式的に示す概略縦断面図。
【図６】実施形態の処理手順の概略を示す概略フローチャート。
【図７】異なる実施形態の照明装置の構成を示す平面図。
【図８】さらに異なる実施形態の照明装置の構成を示す平面図。
【図９】電子機器の概略斜視図。
【図１０】異なる電子機器の概略斜視図。
【符号の説明】
【００４８】
１００…電気光学装置、１１０…照明装置、１１０Ａ…光出射面、１１０ａ…照明領域、１２０…光拡散板、１３０…電気光学パネル、１３０Ａ…駆動領域、１３０ａ…照明範囲、１３０ｐ…画素、１４２…照明設定回路、１４３…同期制御回路、１４４…パネル制御回路、１４５…照明制御回路
【図１】
2007025187.tif 000003
【図２】
2007025187.tif 000004
【図３】
2007025187.tif 000005
【図４】
2007025187.tif 000006
【図５】
2007025187.tif 000007
【図６】
2007025187.tif 000008
【図７】
2007025187.tif 000009
【図８】
2007025187.tif 000010
【図９】
2007025187.tif 000011
【図１０】
2007025187.tif 000012